(57)【要約】      （修正有）【課題】装着面での利便性と装着時の接着強度の保持を重視し、着脱がしやすく尚且つ接着時間等を最小限に身体へと装着ができる男性器代用器を提供する。【解決手段】男性器代用器は、先天的な疾患、或いは後天的な疾患により男性器を有さない患者を始めとする、身体的な性別を問わない全ての使用者の下腹部に装着することが可能なものであり、代用器本体とサポーターを有する。代用器本体２は、長手状の陰茎部３と、陰茎部の根元部から垂れ下がる袋状の陰嚢部４と、代用器本体に内蔵された磁石５を有する。サポーターは、下腹部に装着するサポーター本体とサポーター本体に固定された磁石を有する。【選択図】図１
0003217832.tif 000002
【実用新案登録請求の範囲】
【請求項１】
先天的な疾患、或いは後天的な疾患により男性器を有さない患者を含む男性女性等の性別を問わない全ての使用者の下腹部に装着することのできる男性器代用器であって、男性器代用器本体に磁石を内蔵していることを特徴とする男性器代用器。
【請求項２】
前記代用器本体がシリコンからなることを特徴とする請求項１に記載の男性器代用器。
【請求項３】
前記代用器は、装着面において毛髪上から固定出来る器具を使用し、下腹部の毛髪の上からの装着を可能とすることを特徴とする請求項１又は２に記載の男性器代用器。
【請求項４】
前記代用器は、磁力を用いて使用者の身体に装着することを特徴とする請求項１に記載乃至３のいずれかに記載の男性器代用器。
【請求項５】
前記代用器は、代用器本体を身体に装着する際に使用者の身体に直接接着しないことを特徴とする請求項１乃至４のいずれかに記載の男性器代用器。
【考案の詳細な説明】
【技術分野】
【０００１】
この考案は、先天的な疾患により男性器を有さない患者、或いは後天的に男性器を失った患者が、男性器の男性器代用物として装着する男性器代用器に関し、外観上で男性器に近い男性器代用器に関するものである。
【背景技術】
【０００２】
性同一性障害及び半陰陽のような先天的疾患により男性器を有さない患者、或いは後天的に男性器を失った患者の多くは、本来自己が有するはずの性器の欠如による精神的苦痛を軽減し、より豊かな生活を送るための手段として、男性器を代用するものを手に入れることを強く望んでいる。これまでその手段として、外科的な手術によって患者の下腹部に男性器を形成する方法が挙げられる。
【０００３】
また、上記の患者に対し、男性器の代用器を専用の接着剤を用いて身体に直接接着し、装着する方法も挙げられる。
【先行技術文献】
【特許文献】
【０００４】
【特許文献１】特開２０１０−１５８３３０
【考案の概要】
【考案が解決しようとする課題】
【０００５】
これは次のような欠点があった。従来の男性器代用器は、代用器本体、接着剤共に医療用のものを用いて装着するものであったため、両者共に非常に高価であり、代用器を手に入れられる人間が限られていた。また装着に必要不可欠である接着剤が消耗品であるのにも関わらず非常に高価なため、代用器の常用を望む使用者には経済面での困難が生じる。尚且つ、接着剤を用いて接着するという方法では、接着時には接着前に行う下腹部の剃毛をする時間や接着剤の硬化の待ち時間が必須であり、尚且つ取り外す際には専用のリムーバーを用いて代用器本体や身体に付着した接着剤を除去することが必須であるため、男性器代用器を着脱する際に非常に多くの手間や時間を要するという問題があった。更には、接着剤による接着状態を維持出来うる時間が１回の接着で８〜１０時間程度と短く、いざ代用器を装着しても人間の一日の平均活動時間である１５時間は持続不可能であり、使用者が起床直後に付けた場合大多数の使用者は男性器代用器を必要とする入浴の時間帯まで接着剤の接着力が持続せず、実際に入浴の際に使用するのには困難であるという問題点があった。
【０００６】
本考案は、このような問題に鑑みてなされたものであり、男性器代用器の着脱という点での手間を最小限にし、尚且つ装着状態を長時間保持するという役割を十分に果たすとともに、外観上も男性器本来の外観に非常に近い男性器代用器を提供する。
【課題を解決するための手段】
【０００７】
上記目的を達成するために本考案に係る男性器代用器１は、先天的疾患或いは後天的疾患により男性器を有さない患者を含む男性女性を問わない全ての使用者の下腹部に装着することのできる男性器代用器１であり、長手状の陰茎部３及び該陰茎部３の根元から垂れ下がるように設けられた袋状の陰嚢部４を有する男性器代用器１の内部に強力な磁力を有する磁石５を埋め込んだものと、下腹部側に取り付けた強力な磁力を有する磁石５を内部に埋め込んだ極めて小さなサポーター７に、人工毛等を毛髪上へ取り付ける器具１１を備えるものである。
【０００８】
また、本考案に係る男性器代用器１は、毛髪または陰毛上に固定する器具１１で陰毛を利用し、磁石５人りの極めて小さなサポーター７を下腹部に固定する。
【０００９】
また、本考案に係る男性器代用器１は、代用器本体２内部に埋め込まれた磁石５の磁力を利用し，前代用器本体２を下腹部に固定されたサポーター７を介して身体へと装着するものである。
【００１０】
また、本考案に係る男性器代用器１はサポーター７のサイズを代用器本体２より小さな設計であるため、前記代用器２を装着した際にサポーター７を着用していることが分からない。従って、前記代用器２が直接身体に装着されているように見える。
【００１１】
また、本考案に係る男性器代用器１は、前記代用器本体２が人肌の柔らかさに酷似したシリコンからなるものである。
【考案の効果】
【００１２】
本考案に係る男性器代用器によれば、使用者は代用器を装着するために下腹部に毛が生えた状態であっても毛髪の上から毛髪を利用し下腹部へ固定できるサポーターを使い、代用器本体の装着を可能としている。従って、使用者は男性器代用器を装着するにあたって元来必要であった下腹部の剃毛をする手間が不要となる。
【００１３】
また、本考案に係る男性器代用器によれば、磁力により下腹部へ代用器を装着することが可能なため、代用器取り付けの際の接着剤の硬化時間や代用器取り外しの際の手間も着脱時に省くことができる。
【００１４】
また、本考案に係る男性器代用器によれば、代用器本体が非常に柔らかく人肌に近い硬度のシリコンからなり、男性器本来の外観と触感に酷似したものが得られる。
【００１５】
これまでの接着剤を用いての男性器代用器の装着では、剃毛の時間だけでなく接着の際に更に１０〜２０分の接着剤の硬化時間を要していた。その時間が不要となることで、着脱の際の手間も非常に少なく、使用者が必要とする場面において瞬時に着脱を行うことができる。
【００１６】
接着剤を用いて肌に直接接着する方法と違い、装着に接着剤を用いないため、接着剤による肌のトラブルを防止し、肌の弱い使用者でも装着することが可能となる。
【００１７】
更に非常に高価な医療用の接着剤の購入も不要となるため、使用者の経済的負担も大きく軽減することができる。
【図面の簡単な説明】
【００１８】
【図１】本考案の男性器代用器の構成を示す概略縦断面図。
【図２】本考案の男性器代用器の構成を示すＡ方向矢視図。
【図３】本考案のサポーターの構成を示す概略表面図。
【図４】本考案のサポーターの構成を示す概略裏面図。
【考案を実施するための形態】
【００１９】
以下、図面を用いて本考案に係る男性器代用器１について説明する。本考案に係る男性器代用器１は、接着剤を用いずに使用者の身体へ装着できることを可能とすることを特徴とするものである。図１及び図２は、第１実施例に係る男性器代用器１の構成を示す図であり、図１は概略縦断面図、図２は図１におけるＡ矢視図である。男性器代用器１は、男性器に模した外観を有しており、磁石５を内蔵しているものである。
【００２０】
代用器本体２は、図１に示すように、長手状の陰茎部３と、この陰茎部３の根元から垂れ下がるように設けられた袋状の陰嚢部４を有している。（また、図１に詳細は示さないが、装着した際に身体との隙間が出来ないよう、陰茎部３の根元に磁石５が埋め込まれた部分に関しては、患者の身体へよりフィットするように身体にあたる側が吸盤状にくり抜かれた吸盤上の穴６となっている。）
【００２１】
代用器本体２の内部には磁石５を埋め込む。代用器本体２の陰茎部３の根元部と陰嚢部４の２箇所に分けて内蔵する。
【００２２】
サポーター７はポリエステルを主とする速乾性の強い生地で袋状に作られたサポーター本体８に、厚さ０．５〜１ｍｍの平らなゴムシート１０の板の上下２箇所に磁石５を固定したものを収容し、さらにその生地に人工毛を毛髪または陰毛に固定するための器具１１を取り付け、形成されている。磁石５を平らな一体のゴムシート１０に固定しておくことにより、サポーター７内で磁石５同士がくっついてしまう事態を防止している。
【００２３】
また、代用器本体２の材質は耐久性に優れ、細部までより忠実に再現することができるシリコンを用いているため、本来の男性器に非常に近い外観や触感が得られるものとなる。
【００２４】
これを使用する際は、サポーター７を下腹部の毛髪または陰毛を利用し装着固定し、男性器代用器１の磁石５部と、サポーター７の磁石５部を合わせるようにし、磁石５の磁力を利用し身体へと装着する。
【００２５】
使用者は代用器本体２とサポーター７を携帯しておくだけで、公共の入浴施設での着替えや入浴時、海水浴場やプールでの着替え等の時等、男性器代用器１が急に必要となる際にも時間も手間もかけることなく、必要な時に臨機応変に特別な用具等を必要とせず装着できることで利用者はこれまでにない安心感を得られる。
【実施例】
【００２６】
本考案に係る男性器代用器によれば、陰茎部の根元部と陰嚢部の内部の２箇所で強力にサポーターと接着するため、入浴時の際、ジェットバス等の強い水圧のかかるような風呂であっても代用器が取れる心配がない。従って、従来の男性器代用器では元来の男性器代用器では不可能とされていたジェットバス等への入浴も可能とすることができるため、患者の生活の幅を広げると共に患者の精神面において強い支えとなる。
【符号の説明】
【００２７】
１    男性器代用器
２    代用器本体
３    陰茎部
４    陰嚢部
５    磁石
６    吸盤状の穴
７    サポーター
８    サポーター本体
９    布
１０  ゴムシート
１１  毛髪上へ取り付ける器具
【図１】
0003217832.tif 000003
【図２】
0003217832.tif 000004
【図３】
0003217832.tif 000005
【図４】
0003217832.tif 000006
【手続補正書】
【提出日】平成30年7月8日(2018.7.8)
【手続補正１】
【補正対象書類名】実用新案登録請求の範囲
【補正対象項目名】全文
【補正方法】変更
【補正の内容】
【実用新案登録請求の範囲】
【請求項１】
先天的な疾患、或いは後天的な疾患により男性器を有さない患者を含む男性女性等の性別を問わない全ての使用者の下腹部に装着することのできる男性器代用器であって、
代用器本体とサポーターを有し、
前記代用器本体は、長手状の陰茎部と、前記陰茎部の根元から垂れ下がるように設けられた袋状の陰嚢部と、内部に埋め込まれた磁石と、を有し、
前記サポーターは、サポーター本体と、前記サポーター本体に固定された磁石と、前記サポーター本体に取り付けられた陰毛に取りつける器具と、を有することを特徴とする男性器代用器。
【請求項２】
前記代用器本体がシリコンからなることを特徴とする請求項１に記載の男性器代用器。